(57)【要約】      （修正有）【課題】短時間でつけまつげを装着するまつげ延長施術が可能となるように構成したつけまつげ装着用装置及びその製造装置を提供すること。【解決手段】つけまつげ装着用装置は、手で把持するための摘み用ハウジング（１０）と、ユーザの頬に貼り付けるための頬皮膚圧着部と、ユーザのまつげを整列させた状態で人工毛の延長術を行うための凹凸部（３０）と、ユーザのまつげの長さを確認するためのまつげ長さ確認部（４０）と、接着剤を受納するための接着剤収納部（５０）と、接着剤収納部（５０）から流れ落ちた接着剤を収容するための接着剤補助収容部（６０）とを備えて構成される。【選択図】図２
2019198462.tif 000002
【特許請求の範囲】
【請求項１】
手で把持するための摘み用ハウジングと、
ユーザの頬に貼り付けるための頬皮膚圧着部と、
ユーザのまつげを整列させた状態で当該ユーザのまつげに人工毛を装着する施術を行うための凹凸部と、
ユーザのまつげの長さを確認するためのまつげ長さ確認部と、
接着剤を受納するための接着剤収納部と、
前記接着剤収納部から流れ落ちた接着剤が収容される接着剤補助収容部と、を備えて構成されることを特徴とするつけまつげ装着用装置。
【請求項２】
前記まつげ長さ確認部は、
前記凹凸部の長手方向に沿って１つ以上を設けてなることを特徴とする請求項１に記載のつけまつげ装着用装置。
【請求項３】
請求項１又は２に記載のつけまつげ装着用装置の製造装置であって、
前記凹凸部及び前記まつげ長さ確認部を撮影するための撮影用カメラと、
前記撮影用カメラによって撮影された映像イメージを予め入力された正常位置イメージと比較分析して、前記凹凸部及び前記まつげ長さ確認部が正しく形成されたかを把握する制御部と、
前記制御部の判断結果、所望の位置に前記まつげ長さ確認部が形成されていないと、警報信号を出力するための警報信号自動出力部と、
を備えて構成されることを特徴とするつけまつげ装着用装置の製造装置。
【請求項４】
前記警報信号自動出力部は、
自己電源によって電源を印加させる電源部と、
前記電源部の出力端の一側に設けられて、電源部から出力される電源をスイッチングさせる第１のリレイスイッチと、
前記電源部の出力端の他側に設けられて、電源部から出力される電源をスイッチングさせる第２のリレイスイッチと、
前記第２のリレイスイッチの出力端に結合され、第２のリレイスイッチがスイッチングされれば、磁力を発生させる第３のリレイスイッチと、
前記第３のリレイスイッチによって鉄片が引っ張られながら回路を通電させる機能を果たす第１の回路連結スイッチと、
前記第３のリレイスイッチによって鉄片が引っ張られながら警報信号出力制御部に電源が供給され、警報信号が警報信号ディスプレイ部を介してディスプレイされるように導く役割をする第２の警報信号出力用電源スイッチと、
前記第２のリレイスイッチをスイッチングさせて第３のリレイスイッチがスイッチングされるように導き、これにより、第１の回路連結スイッチと第２の警報信号出力用電源スイッチとがスイッチングされるようにし、その後、第２のリレイスイッチをオフさせるとともに、第１のリレイスイッチをスイッチングさせ、第３のリレイスイッチはオフさせ、かつ、第１のリレイスイッチに連動されるように構成された第１の回路連結スイッチと第２の警報信号出力用電源スイッチとのスイッチング状態を持続させて警報状態を持続させる役割をする警報制御部と、
前記第１の回路連結スイッチに接触され、第１のリレイスイッチから伝達される電源を中継させて電源の流れを持続させる回路作動用鉄片と、
前記回路作動用鉄片に連動して動作するように設計され、回路作動用鉄片がオンされると、警報信号出力制御部に電源を連結して警報装置が作動されるように導く警報信号出力制御部の電源連結用鉄片と、
前記回路作動用鉄片の下端に設けられ、下部末端がＳ極である棒磁石形態からなり、Ｓ極の影響で第３のリレイスイッチが作動しないとき、第１の回路連結スイッチと回路作動用鉄片とが常にオフ状態を保持するように導く第１の磁気保持手段と、
前記第１の回路連結スイッチの上部に設け、上部末端がＳ極である棒磁石形態からなり、第３のリレイスイッチが作動しないとき、下部末端がＳ極である第１の磁気保持手段を互いに押し付けて回路作動用鉄片を押し上げることにより、電気的にオフ状態を保持させ、第３のリレイスイッチが作動するとき、回路作動用鉄片が引き寄せられて本体の上部を構成するＳ極と第１の磁気保持手段の本体の上部を構成するＮ極とが近接して位置し、かつ、本体の下部を構成するＮ極と第１の磁気保持手段の本体の下部を構成するＳ極とが近接して位置しつつ、第１の磁気保持手段と磁気的に結合され、かつ、第１の回路連結スイッチがスイッチングされれば、第３のリレイスイッチの作動が止まっても回路作動用鉄片の貼り付け状態が続けられて第１のリレイスイッチを介した電源供給状態を保持させ、このとき、前記第３のリレイスイッチの作動により回路作動用鉄片が動作すれば、警報信号出力制御部の電源連結用鉄片が自動作動して警報信号が外部に出力されるように動作する第２の磁気保持手段と、
前記第１の磁気保持手段に所定間隔離間した状態で回路作動用鉄片の下端に設けられ、下部末端がＳ極である棒磁石形態からなり、上部末端がＳ極である第２の磁気保持手段に押し付けられながら第３のリレイスイッチが作動しないとき、回路作動用鉄片を第１の回路連結スイッチから持ち上げて回路の遮断状態を保持させ、第３のリレイスイッチが作動するとき、回路作動用鉄片を下降させて第１の回路連結スイッチのオン状態を保持させる補助磁気保持手段と、
前記第２の磁気保持手段のＮ極周りを覆った形態で設けられ、第２の磁気保持手段と第１の磁気保持手段とが磁気的に結合するとき、相互直接結合されずに所定間隙を維持したまま結合されるように導き、第１の磁気保持手段と第２の磁気保持手段とを解体するとき、自然に相互分離が可能なように導く間隔材と、
前記回路作動用鉄片と警報信号出力制御部の電源連結用鉄片とに結合され、警報信号作動を中断させるためにユーザが操作すれば、回路作動用鉄片と警報信号出力制御部の電源連結用鉄片とをオフさせて警報信号ディスプレイ部の動作を中断させることにより、それ以上警報信号が出力されないように導く手動作動スイッチと、をさらに備えて構成されることを特徴とする請求項３に記載のつけまつげ装着用装置の製造装置。
【発明の詳細な説明】
【技術分野】
【０００１】
本発明は、つけまつげを装着するために用いるつけまつ毛装着用装置、及びその製造装置に関する。
【背景技術】
【０００２】
一般に、つけまつげは、綺麗になりたい女性達の所望に応じて、まつげが長く見えるように作られた美容道具の一種であり、テープと接着剤等を用いて人為的にまつげの周りに貼り付けて使用されている。
【０００３】
普通、目の形に合わせて人工毛で形成されたつけまつげを接着剤やテープで目の周りに貼り付けた状態において、はさみ等の道具で残った部分を切り出して使用してきた。
【０００４】
このようなつけまつげは、実際に使用するときに、まつげの全体的な構造や接着剤が前記まつげに提供される構造のため、まつげを使用するユーザの目付きを自然と生かすことができないほか、まつげがユーザの目頭に正しく貼り付けられずに離れて使用が不便であるという問題点があった。
【０００５】
前記まつげを接着するために、繋ぎ部にテープ形態の接着剤が提供されたつけまつげを使用する場合には、ユーザの目頭に沿って前記接着剤が全体的に貼り付けられるので、このとき、前記接着剤により前記繋ぎ部に発揮される張力によってまつげの全体的な状態が自然でなくなるという問題点があった。
【０００６】
また、糸に接着剤を塗布した糸接着剤をつけまつげに貼り付けて使用する場合には、この糸接着剤がまつげの繋ぎ部からよく離れて、ユーザがまつげを長時間使用できずに捨てるようになるという問題点があった。
【０００７】
上記のような問題点を解決しようとして、実用新案登録番号第２０−０３３８８３９号におけるまつげにおいて開示された従来技術を、図１を参照して説明すれば、次のとおりである。
【０００８】
ユーザの目頭部位に貼り付けられて使用されるまつげにおいて、撓まれた状態で配列される複数個の毛髪及び前記毛髪の一側端部が繋ぎ部位無しで集まって形成され、接着剤が塗られる貼り付け部を備えて、前記目頭部位に複数個で貼り付けられることを特徴とする。
【０００９】
このように構成された従来技術は、複数個の筋で形成されたまつげ２０を自分が望む形によって目頭２２部位に接着剤を十分に塗布した状態でピンセット２４のような道具で接着するように構成する。
【００１０】
しかし、従来技術により目頭部位にまつげを貼り付けるためには、人の手により複数の筋で形成されたまつげに１つずつ接着剤を塗布しながら、顔の形態にしたがって正確な位置に貼り付けなければならず、多くの時間がかかり、難しい手作業のため、作業の熟練度が高くなければならず、人件費が上昇されるという問題点があった。
【００１１】
また、目頭に貼り付けられるつけまつげは、熟練度の高い技能者がどんなに良く貼り付けても人体のまつげの上側に貼り付けられるもので、詳しく見ると、まつげとつけまつげとの差が明確に表れ、美容のためのまつげが目の美しさを阻害する要素と浮び上がるという問題点があった。
【００１２】
合わせて、従来技術のつけまつげは、まぶたの下部である目頭に接着剤で貼り付けられるもので、目の筋肉の収縮と弛緩や、汗または涙により接着剤の接着力が減少されて離れ易くなり、目を瞬く毎に他の物体が貼り付けられて異物感が形成されるという問題点があった。
【００１３】
また、まつげの長さを目積りで確認して作業するので、短い長さのまつげのみを探して施術するのに困難があった。すなわち、まつげの中でも、比較的短い長さのまつげに人工毛を貼り付けるところ、このとき、比較的短い長さのまつげを区分しなければならないが、従来には、区分する道具がなかったので、施術するまつげを探し難く、施術の際、多くの時間がかかり、特に、初心者は、さらにまつげの長さの差を見分け難くて、施術するのが難しいという問題があった。
【先行技術文献】
【特許文献】
【００１４】
【特許文献１】大韓民国登録実用新案公報第２０−０３３８８３９号
【発明の概要】
【発明が解決しようとする課題】
【００１５】
本発明は、上記のような問題を解決しようとするものであって、自分のまつげと、そのまつげを延長させる人工毛とを結合させるための道具を備えて施術させ、特に、道具をユーザの頬に貼り付けた状態で施術作業がなされ、前記道具には、摘み部と、頬圧着部と、凹凸部と、長さ確認部とを備えて、施術者が長さ確認部によりユーザのまつげの長さを確認した状態で人工毛を貼り付けることにより、さらに速くかつ簡便に人工毛貼り付け作業がなされるようにすることにその目的がある。
【課題を解決するための手段】
【００１６】
上記の目的を達成するための手段として、本発明は、手で把持するための摘み用ハウジング（１０）と、ユーザの頬に貼り付けるための頬皮膚圧着部（２０）と、ユーザのまつげを整列させた状態で当該ユーザのまつげに人工毛を装着する施術を行うための凹凸部（３０）と、ユーザのまつげの長さを確認するためのまつげ長さ確認部（４０）と、接着剤を受納するための接着剤収納部（５０）と、前記接着剤収納部（５０）から流れ落ちた接着剤が収容される接着剤補助収容部（６０）と、を備えて構成されることを特徴とする。
【００１７】
また、前記まつげ長さ確認部（４０）は、前記凹凸部（３０）の長手方向に沿って１つ以上を設けてなることを特徴とする。
【００１８】
また、本発明は、手で把持するための摘み用ハウジング（１０）と、ユーザの頬に貼り付けるための頬皮膚圧着部（２０）と、ユーザのまつげを整列させた状態で当該ユーザのまつげに人工毛を装着する施術を行うための凹凸部（３０）と、ユーザのまつげの長さを確認するためのまつげ長さ確認部（４０）と、接着剤を受納するための接着剤収納部（５０）と、前記接着剤収納部（５０）から流れ落ちた接着剤が収容される接着剤補助収容部（６０）と、を有するつけまつげ装着用装置の製造装置であって、前記凹凸部（３０）及び前記まつげ長さ確認部（４０）を撮影するための撮影用カメラ（１００）と、前記撮影用カメラ（１００）によって撮影された映像イメージを予め入力された正常位置イメージと比較分析して、前記凹凸部（３０）及び前記まつげ長さ確認部（４０）が正しく形成されたかを把握する制御部（２００）と、前記制御部（２００）の判断結果、所望の位置に前記まつげ長さ確認部（４０）が形成されていないと、警報信号を出力するための警報信号自動出力部（１０００）と、を備えて構成されることを特徴とする。
【００１９】
また、前記警報信号自動出力部（１０００）は、自己電源によって電源を印加させる電源部（１１１０）と、前記電源部（１１１０）の出力端の一側に設けられて、電源部（１１１０）から出力される電源をスイッチングさせる第１のリレイスイッチ（ＲＬ１）と、前記電源部（１１１０）の出力端の他側に設けられて、電源部（１１１０）から出力される電源をスイッチングさせる第２のリレイスイッチ（ＲＬ２）と、前記第２のリレイスイッチ（ＲＬ２）の出力端に結合され、第２のリレイスイッチ（ＲＬ２）がスイッチングされれば、磁力を発生させる第３のリレイスイッチ（ＲＬ３）と、前記第３のリレイスイッチ（ＲＬ３）によって鉄片が引っ張られながら回路を通電させる機能を果たす第１の回路連結スイッチ（ｓｗ１）と、前記第３のリレイスイッチ（ＲＬ３）によって鉄片が引っ張られながら警報信号出力制御部（１１４０）に電源が供給され、警報信号が警報信号ディスプレイ部（１１５０）を介してディスプレイされるように導く役割をする第２の警報信号出力用電源スイッチ（ｓｗ２）と、前記第２のリレイスイッチ（ＲＬ２）をスイッチングさせて第３のリレイスイッチ（ＲＬ３）がスイッチングされるように導き、これにより、第１の回路連結スイッチ（ｓｗ１）と第２の警報信号出力用電源スイッチ（ｓｗ２）とがスイッチングされるようにし、その後、第２のリレイスイッチ（ＲＬ２）をオフさせるとともに、第１のリレイスイッチ（ＲＬ１）をスイッチングさせ、第３のリレイスイッチ（ＲＬ３）はオフさせ、かつ、第１のリレイスイッチ（ＲＬ１）に連動されるように構成された第１の回路連結スイッチ（ｓｗ１）と第２の警報信号出力用電源スイッチ（ｓｗ２）とのスイッチング状態を持続させて警報状態を持続させる役割をする警報制御部（１１２０）と、前記第１の回路連結スイッチ（ｓｗ１）に接触され、第１のリレイスイッチ（ＲＬ１）から伝達される電源を中継させて電源の流れを持続させる回路作動用鉄片（１１３１）と、前記回路作動用鉄片（１１３１）に連動して動作するように設計され、回路作動用鉄片（１１３１）がオンされると、警報信号出力制御部（１１４０）に電源を連結して警報装置が作動されるように導く警報信号出力制御部（１１４０）の電源連結用鉄片（１１３２）と、前記回路作動用鉄片（１１３１）の下端に設けられ、下部末端がＳ極である棒磁石形態からなり、Ｓ極の影響で第３のリレイスイッチ（ＲＬ３）が作動しないとき、第１の回路連結スイッチ（ｓｗ１）と回路作動用鉄片（１１３１）とが常にオフ状態を保持するように導く第１の磁気保持手段（１１３３）と、前記第１の回路連結スイッチ（ｓｗ１）の上部に設け、上部末端がＳ極である棒磁石形態からなり、第３のリレイスイッチ（ＲＬ３）が作動しないとき、下部末端がＳ極である第１の磁気保持手段（１１３３）を互いに押し付けて回路作動用鉄片（１１３１）を押し上げることにより、電気的にオフ状態を保持させ、第３のリレイスイッチ（ＲＬ３）が作動するとき、回路作動用鉄片（１１３１）が引き寄せられて本体の上部を構成するＳ極と第１の磁気保持手段（１１３３）の本体の上部を構成するＮ極とが近接して位置し、かつ、本体の下部を構成するＮ極と第１の磁気保持手段（１１３３）の本体の下部を構成するＳ極とが近接して位置しつつ、第１の磁気保持手段（１１３３）と磁気的に結合され、かつ、第１の回路連結スイッチ（ｓｗ１）がスイッチングされれば、第３のリレイスイッチ（ＲＬ３）の作動が止まっても回路作動用鉄片（１１３１）の貼り付け状態が続けられて第１のリレイスイッチ（ＲＬ１）を介した電源供給状態を保持させ、このとき、前記第３のリレイスイッチ（ＲＬ３）の作動により回路作動用鉄片（１１３１）が動作すれば、警報信号出力制御部（１１４０）の電源連結用鉄片（１１３２）が自動作動して警報信号が外部に出力されるように動作する第２の磁気保持手段（１１３４）と、前記第１の磁気保持手段（１１３３）に所定間隔離間した状態で回路作動用鉄片（１１３１）の下端に設けられ、下部末端がＳ極である棒磁石形態からなり、上部末端がＳ極である第２の磁気保持手段（１１３４）に押し付けられながら第３のリレイスイッチ（ＲＬ３）が作動しないとき、回路作動用鉄片（１１３１）を第１の回路連結スイッチ（ｓｗ１）から持ち上げて回路の遮断状態を保持させ、第３のリレイスイッチ（ＲＬ３）が作動するとき、回路作動用鉄片（１１３１）を下降させて第１の回路連結スイッチ（ｓｗ１）のオン状態を保持させる補助磁気保持手段（１１３３ａ）と、前記第２の磁気保持手段（１１３４）のＮ極周りを覆った形態で設けられ、第２の磁気保持手段（１１３４）と第１の磁気保持手段（１１３３）とが磁気的に結合するとき、相互直接結合されずに所定間隙を維持したまま結合されるように導き、第１の磁気保持手段（１１３３）と第２の磁気保持手段（１１３４）とを解体するとき、自然に相互分離が可能なように導く間隔材（１１３４ａ）と、前記回路作動用鉄片（１１３１）と警報信号出力制御部（１１４０）の電源連結用鉄片（１１３２）とに結合され、警報信号作動を中断させるためにユーザが操作すれば、回路作動用鉄片（１１３１）と警報信号出力制御部（１１４０）の電源連結用鉄片（１１３２）とをオフさせて警報信号ディスプレイ部（１１５０）の動作を中断させることにより、それ以上警報信号が出力されないように導く手動作動スイッチ（１１３５）と、をさらに備えて構成されることを特徴とする。
【発明の効果】
【００２０】
上述したように、本発明は、自分のまつげと、そのまつげを延長させるつけまつげ（人工毛）とを結合させるための道具を備えて施術させ、特に、道具をユーザの頬に貼り付けた状態で施術作業がなされ、前記道具は、摘み部と、頬圧着部と、凹凸部と、長さ確認部とを備えて、施術者が長さ確認部によりユーザのまつげの長さを確認した状態で人工毛を貼り付けることにより、さらに速くかつ簡便に人工毛貼り付け作業がなされるようにするという効果がある。
【図面の簡単な説明】
【００２１】
【図１】従来のまつげ延長機構の構成図。
【図２】本発明のつけまつげ装着用装置の斜視図。
【図３】本発明のつけまつげ装着用装置の異なる角度の斜視図。
【図４】本発明のつけまつげ装着用装置の平面図。
【図５】本発明のつけまつげ装着用装置の側面図。
【図６】本発明のつけまつげ装着用装置の使用状態図。
【図７】本発明のつけまつげ装着用装置の製造装置における警報信号自動出力のためのブロック構成図。
【図８】本発明のつけまつげ装着用装置の製造装置における警報信号自動出力部の回路図。
【図９】図８の要部拡大図。
【図１０】本発明のつけまつげ装着用装置の製造装置における警報信号自動回路部の動作例示図。
【発明を実施するための形態】
【００２２】
以下、添付された図面を参照して、本発明の好ましい実施形態に対する動作原理を詳細に説明する。ただし、下記に図示される図面と後述する説明とは、本発明の特徴を効果的に説明するための種々の方法のうち、好ましい実施方法に関するものであり、本発明が下記の図面と説明だけに限定されるものではない。
【００２３】
また、下記において本発明を説明するにあって、関連した公知機能または構成に対する具体的な説明が本発明の要旨を不要に濁す恐れがあると判断される場合には、その詳細な説明を省略する。そして、後述する用語は、本発明における機能を考慮して定義された用語であって、これは、ユーザ、運用者の意図または慣例などによって変わることができる。したがって、その定義は、本発明において全般にわたった内容に基づいて下されるべきであろう。
【００２４】
また、以下に実施される本発明の好ましい実施形態は、本発明をなす技術的構成要素を効率的に説明するために、それぞれのシステム機能構成に既に備えられているか、または本発明の属する技術分野において通常的に備えられるシステム機能構成はなるべく省略し、本発明のために追加的に備えられなければならない機能構成を中心に説明する。
【００２５】
もし、本発明の属する技術分野における通常の知識を有する者であれば、下記に図示せずに省略された機能構成のうち、従来に既に使用されている構成要素の機能を容易に理解できるであろうし、また、上記のように省略された構成要素と本発明のために追加された構成要素との間の関係も明らかに理解できるであろう。
【００２６】
また、以下の実施形態は、本発明の核心的な技術的特徴を効率的に説明するために、本発明の属する技術分野における通常の知識を有する者が明らかに理解できるように、用語を適宜変形して使用するが、これにより本発明が限定されるものでは決してない。
【００２７】
結果的に、本発明の技術的思想は、請求の範囲により決定され、以下の実施形態は、進歩的な本発明の技術的思想を本発明の属する技術分野における通常の知識を有する者に効率的に説明するための１つの手段に過ぎない。
【００２８】
本発明にかかるつけまつげ装着用装置（まつげ延長機構）は、大別して、手で把持し易い摘み用ハウジング１０と、ユーザの頬に容易に貼り付けるための頬皮膚圧着部２０と、ユーザのまつげを整列させた状態で人工毛の延長術を行うための凹凸部３０と、ユーザのまつげの長さを確認するためのまつげ長さ確認部４０と、接着剤を臨時受納できる接着剤収納部５０と、接着剤収納部５０から流れ落ちた接着剤が収容される接着剤補助収容部６０とを備えて構成される。
【００２９】
摘み用ハウジング１０は、手で把持し易い三角錐の形態であって、枠面が曲線処理されて施術者が楽でかつ容易に握って施術することができる。すなわち、摘み用ハウジング１０は、三角錐の立体的な形で製作して、施術者が片手で把持した状態で容易にユーザの頬に貼り付けてまつげに人工毛をより容易に貼り付けることができる。
【００３０】
頬皮膚圧着部２０は、摘み用ハウジング１０の背面に配置されるものであって、頬皮膚に接合され易いように丸くなった形態であり、必要に応じて、接着剤を塗布するか、二重接着テープを塗布して使用することができる。すなわち、頬皮膚圧着部２０は、摘み用ハウジング１０の背面に配置されて、摘み用ハウジング１０がユーザに確実に貼り付けられて容易に分離されないながら施術がなされ得るようにしたものである。
【００３１】
凹凸部３０は、摘み用ハウジング１０の上面に配置され、凹部３２と凸部３１とが複数個順次形成されるものであって、凹部３２と凸部３１にユーザのまつげが配置され、凸面に配置されるまつげに人工毛を接着するように構成される。すなわち、凹凸部３０は、まつげを分離整列させて、施術するまつげが容易に凸面に位置するようにし、何回の作業にわたって凸面にまつげが位置することにより、２、３回の作業によってまつげ延長術が仕上げられ得るようにする。
【００３２】
まつげ長さ確認部４０は、凹凸部３０の横方向に１つまたは２つの溝を形成してなり、前記溝を用いてまつげの概略的な長さを確認し、これを用いて施術する長さが短いまつげを早く確認することができるようにした。すなわち、まつげ長さ確認部４０は、横方向の溝を介してまつげの概略的な長さを推定できるので、短い長さのまつげを容易に確認して、延長が必要なまつげだけを容易に施術できるようにして、施術時間を短縮できるようになる。
【００３３】
接着剤収納部５０は、摘み用ハウジング１０の正面に配置されるものであって、１つまたは２つの空間部を形成し、空間部に接着剤を臨時保管した状態で施術者が前記接着剤を用いてユーザのまつげに人工毛を貼り付ける施術を楽にすることができるように構成する。すなわち、接着剤を接着剤収納部５０に臨時配置した状態で施術者が容易に施術できるので、より早く接着剤を用いてまつげ延長術を実施できるようになる。
【００３４】
接着剤補助収容部６０は、接着剤収納部５０の下端に配置され、接着剤収納部５０から流れ落ちた接着液を臨時収容して、接着剤がユーザの頬などに流れ込むことを遮断する役割をする。すなわち、補助収容部６０により、誤って接着剤収納部５０の外側に接着剤が流れ落ちても収容されるので、ユーザの皮膚に流れ落ちることを遮断して保護することができる。
【００３５】
以下において、本発明の使用方法を説明すれば、次のとおりである。
【００３６】
つけまつげ装着用装置は、摘み用ハウジング１０と、頬皮膚圧着部２０と、凹凸部３０と、まつげ長さ確認部４０と、接着剤収納部５０と、接着剤補助収容部６０とを備えて構成される。
【００３７】
つけまつげ装着用装置を施術者が把持した状態でまつげの下に存在するユーザの頬皮膚にまつげ延長機構を臨時固定させる。
【００３８】
このとき、前記つけまつげ装着用装置の頬皮膚圧着部２０を用いてユーザの頬に貼り付けるところ、確実な固定のために毒性のない人体に無害な接着剤を使用することができる。あるいは、二重接着テープを用いてユーザの頬に固定させることもできる。
【００３９】
また、接着剤収納部５０に接着に必要な接着液を予め配置して、人工毛とまつげとを容易に貼り付けることができるようにする。
【００４０】
前記つけまつげ装着用装置をユーザの頬に固定しつつまつげを凹凸部３０に位置させ、このとき、まつげは、凹部３２と凸部３１とに配置されるところ、凸部３１に配置されるまつげのうち、長さが比較的短いまつげに人工毛を延長貼り付けるようになる。
【００４１】
本発明では、まつげ長さ確認部４０をさらに設けてなるので、整列されるまつげのうち、基準に満たないまつげを選択して人工毛で延長施術すればよい。
【００４２】
すなわち、まつげ長さ確認部４０は、必要に応じて５ｍｍ間隔で複数個設けることもできるところ、本発明の実施形態では、１つの横方向溝にまつげ長さ確認部４０を形成させ、これにより、まつげが凹凸部３０に配置されるとき、前記まつげ長さ確認部４０を用いて基準より相対的に短いまつげを早く確認して、そのまつげに対してのみ人工毛を速く施術することができる。
【００４３】
言い換えれば、まつげ長さ確認部４０がない場合は、まつげの長さを目積りで比較するしかなく、どのまつげを施術すべきであるか見分けし難いが、本発明を利用すれば、基準長さに満たないまつげを正確に確認できるので、施術すべきまつげを速く確認して施術作業ができるようになるものである。
【００４４】
合わせて、凹凸部３０の凸部３１は、丸くなるように設けて、ユーザがより容易に施術できるようにする。すなわち、凸部３１が硬い六面体形態であれば、施術作業の際に角に怪我する恐れがあるところ、凸部３１を丸くなるように処理して、より容易に施術できるようにする。
【００４５】
次に、上記構成のつけまつげ装着用装置の製造方法及び製造装置について説明する。つけまつげ装着装置の製造方法及び製造装置では、つけまつげ装着用装置を自動で生産する過程において、凹凸部３０及びまつげ長さ確認部４０を撮影して、凹凸部３０の内部にまつげ長さ確認部４０が正しく形成されていないと、警報音を出力する。すなわち、エラー状況を作業者に知らせて速い措置を取ることができるように導くものである。
【００４６】
このために、本発明において、手で把持し易い摘み用ハウジング１０と、ユーザの頬に容易に貼り付けるための頬皮膚圧着部２０と、ユーザのまつげを整列させた状態で人工毛の延長術を行うための凹凸部３０と、ユーザのまつげの長さを確認するためのまつげ長さ確認部４０と、接着剤を臨時受納できる接着剤収納部５０と、流れ落ちた接着剤を収容できる接着剤補助収容部６０とを有するつけまつげ装着用装置の製造装置は、凹凸部３０及びまつげ長さ確認部４０を撮影するための撮影用カメラ１００と、撮影用カメラ１００によって撮影された映像イメージを予め入力された正常位置イメージと比較分析して、凹凸部３０及びまつげ長さ確認部４０が正しく形成されたかを把握する制御部２００と、制御部２００の判断結果、所望の位置にまつげ長さ確認部４０が形成されていないと、警報信号を出力するための警報信号自動出力部１０００とを備えて構成される。
【００４７】
前記警報信号自動出力部１０００は、電源部１１１０と、第１のリレイスイッチＲＬ１と、第２のリレイスイッチＲＬ２と、第３のリレイスイッチＲＬ３と、第１の回路連結スイッチｓｗ１と、第２の警報信号出力用電源スイッチｓｗ２と、警報制御部１１２０とを備えてなる。
【００４８】
前記電源部１１１０は、自己電源によって電源を印加させる。
【００４９】
前記第１のリレイスイッチＲＬ１は、電源部１１１０の出力端の一側に設けられて、電源部１１１０から出力される電源をスイッチングさせる。
【００５０】
前記第２のリレイスイッチＲＬ２は、電源部１１１０の出力端の他側に設けられて、電源部１１１０から出力される電源をスイッチングさせる。
【００５１】
前記第３のリレイスイッチＲＬ３は、第２のリレイスイッチＲＬ２の出力端に結合され、第２のリレイスイッチＲＬ２がスイッチングされれば、磁力を発生させる。
【００５２】
前記第１の回路連結スイッチｓｗ１は、第３のリレイスイッチＲＬ３によって鉄片が引っ張られながら回路を通電させる機能を果たす。
【００５３】
前記第２の警報信号出力用電源スイッチｓｗ２は、第３のリレイスイッチＲＬ３によって鉄片が引っ張られながら警報信号出力制御部１１４０に電源が供給されて、警報信号が警報信号ディスプレイ部１１５０を介してディスプレイされるように導く役割をする。
【００５４】
前記警報制御部１１２０は、第２のリレイスイッチＲＬ２をスイッチングさせて第３のリレイスイッチＲＬ３がスイッチングされるように導き、これにより、第１の回路連結スイッチｓｗ１と第２の警報信号出力用電源スイッチｓｗ２とがスイッチングされるようにし、その後、第２のリレイスイッチＲＬ２をオフさせるとともに、第１のリレイスイッチＲＬ１をスイッチングさせ、第３のリレイスイッチＲＬ３はオフさせ、かつ、第１のリレイスイッチＲＬ１に連動されるように構成された第１の回路連結スイッチｓｗ１と第２の警報信号出力用電源スイッチｓｗ２とのスイッチング状態を持続させて警報状態を持続させる役割をする。
【００５５】
また、本発明は、回路作動用鉄片１１３１と、警報信号出力制御部１１４０の電源連結用鉄片１１３２と、第１の磁気保持手段１１３３と、第２の磁気保持手段１１３４と、補助磁気保持手段１１３３ａと、間隔材１１３４ａと、手動作動スイッチ１１３５とをさらに備えて構成される。
【００５６】
前記回路作動用鉄片１１３１は、第１の回路連結スイッチｓｗ１に接触されて、第１のリレイスイッチＲＬ１から伝達される電源を中継させて電源の流れを持続させる。
【００５７】
前記警報信号出力制御部１１４０の電源連結用鉄片１１３２は、前記回路作動用鉄片１１３１に連動して動作するように設計され、回路作動用鉄片１１３１がオンされれば、警報信号出力制御部１１４０に電源を連結して警報装置が作動されるように導く。
【００５８】
前記第１の磁気保持手段１１３３は、回路作動用鉄片１１３１の下端に設けられ、下部末端がＳ極である棒磁石形態からなり、Ｓ極の影響で第３のリレイスイッチＲＬ３が作動しないとき、第１の回路連結スイッチｓｗ１と回路作動用鉄片１１３１とが常にオフ状態を保持するように導く。
【００５９】
前記第２の磁気保持手段１１３４は、第１の回路連結スイッチｓｗ１の上部に設け、上部末端がＳ極である棒磁石形態からなり、第３のリレイスイッチＲＬ３が作動しないとき、下部末端がＳ極である第１の磁気保持手段１１３３を互いに押し付けて回路作動用鉄片１１３１を押し上げることにより、電気的にオフ状態を保持させ、第３のリレイスイッチＲＬ３が作動するとき、回路作動用鉄片１１３１が引き寄せられて本体の上部を構成するＳ極と第１の磁気保持手段１１３３の本体の上部を構成するＮ極とが近接して位置し、かつ、本体の下部を構成するＮ極と第１の磁気保持手段１１３３の本体の下部を構成するＳ極とが近接して位置しつつ、第１の磁気保持手段１１３３と磁気的に結合され、かつ、第１の回路連結スイッチｓｗ１がスイッチングされれば、第３のリレイスイッチＲＬ３の作動が止まっても回路作動用鉄片１１３１の貼り付け状態が続けられて第１のリレイスイッチＲＬ１を介した電源供給状態を保持させる。このとき、前記第３のリレイスイッチＲＬ３の作動により回路作動用鉄片１１３１が動作すれば、警報信号出力制御部１１４０の電源連結用鉄片１１３２が自動作動して警報信号が外部に出力されるように動作する。
【００６０】
前記補助磁気保持手段１１３３ａは、第１の磁気保持手段１１３３に所定間隔離間した状態で回路作動用鉄片１１３１の下端に設けられ、下部末端がＳ極である棒磁石形態からなり、上部末端がＳ極である第２の磁気保持手段１１３４に押し付けられながら第３のリレイスイッチＲＬ３が作動しないとき、回路作動用鉄片１１３１を第１の回路連結スイッチｓｗ１から持ち上げて回路の遮断状態を保持させ、第３のリレイスイッチＲＬ３が作動するとき、回路作動用鉄片１１３１を下降させて第１の回路連結スイッチｓｗ１のオン状態を保持させる。
【００６１】
特に、補助磁気保持手段１１３３ａは、第１の磁気保持手段１１３３が失われても第２の磁気保持手段１１３４に影響を及ぼして、第３のリレイスイッチＲＬ３が作動しないとき、第１の回路連結スイッチｓｗ１のオフ状態を保持させ、第３のリレイスイッチＲＬ３が作動するとき、第２の磁気保持手段１１３４と磁気的に結合されて、第１の回路連結スイッチｓｗ１のオン状態を保持させる。
【００６２】
前記間隔材１１３４ａは、第２の磁気保持手段１１３４のＮ極周りを覆った形態で設けられ、第２の磁気保持手段１１３４と第１の磁気保持手段１１３３とが磁気的に結合するとき、相互直接結合されずに所定間隙を維持したまま結合されるように導き、第１の磁気保持手段１１３３と第２の磁気保持手段１１３４とを解体するとき、前記間隔材１１３４ａの作用によって自然に相互分離が可能なように導く。もし、間隔材１１３４ａが存在しなければ、第１の磁気保持手段１１３３の本体と第２の磁気保持手段１１３４の本体とが直接貼り付けられるので、後で相互分離が難しくなる。これにより、本発明では、間隔材１１３４ａをさらに設けて、第１の磁気保持手段１１３３と第２の磁気保持手段１１３４とが容易に分離され得るようにした。
【００６３】
そして、前記間隔材１１３４ａを第２の磁気保持手段１１３４のＮ極周りにのみ設ける理由は、リレイスイッチが作動しないとき、第１の磁気保持手段１１３３と第２の磁気保持手段１１３４とが分離されていなければならず、このとき、第１の磁気保持手段１１３３のＳ極と第２の磁気保持手段１１３４のＳ極とが相互向かい合うようになり、分離状態を容易に保持できる。もし、間隔材１１３４ａが第２の磁気保持手段１１３４のＳ極まで覆うことになると、第３のリレイスイッチＲＬ３が作動しないとき、第１の磁気保持手段１１３３と第２の磁気保持手段１１３４とのＳ極が間隔材１１３４ａの妨害によって押し付ける強度が弱くなるため、離間状態保持が不安定になりうる。
【００６４】
これにより、本発明では、第２の磁気保持手段１１３４のＮ極にのみ間隔材１１３４ａを設けて、第１の磁気保持手段１１３３と第２の磁気保持手段１１３４との分離が容易になされるようにし、磁気的に結合するときには、隣接した互いに異なる極の配置によって相互容易に磁気的結合状態を保持させるようにした。実際に、第１の磁気保持手段１１３３と第２の磁気保持手段１１３４とが相互結合されるようになると、第１の磁気保持手段１１３３のＮ極と第２の磁気保持手段１１３４のＳ極とがすぐ近接して位置するようになり、これにより、磁気的に強く結合されてリレイスイッチがオフされても、回路作動用鉄片１１３１の下降状態が持続されることにより、第１の回路連結スイッチｓｗ１のオン状態を持続させることができる。
【００６５】
前記手動作動スイッチ１１３５は、回路作動用鉄片１１３１と警報信号出力制御部１１４０の電源連結用鉄片１１３２とに結合され、警報信号出力部がオフされた状態で警報信号作動を中断させるためにユーザが操作すれば、回路作動用鉄片１１３１と警報信号出力制御部１１４０の電源連結用鉄片１１３２とがオフされて警報信号ディスプレイ部１１５０の動作を中断させることにより、それ以上警報信号が出力されないようにする。
【００６６】
以下において、警報信号自動出力部１０００の動作を説明すれば、次のとおりである。
【００６７】
まず、警報信号出力のための制御関係を説明すれば、制御部において第２のリレイスイッチＲＬ２に電源を印加して第３のリレイスイッチＲＬ３を作動させる。これにより、第３のリレイスイッチＲＬ３の作動で第１の回路連結スイッチｓｗ１及び第２の警報信号出力用電源スイッチｓｗ２がオンされながら警報信号出力制御部１１４０に電源が印加されて警報信号がディスプレイされる。
【００６８】
前記第１の回路連結スイッチｓｗ１が作動すれば、制御部は、第２のリレイスイッチＲＬ２の作動を遮断して第３のリレイスイッチＲＬ３の作動を遮断させ、かつ、第１のリレイスイッチＲＬ１を作動させる。
【００６９】
一方、もし、作業者が警報信号が出力される途中に第１の回路連結スイッチｓｗ１及び第２の警報信号出力用電源スイッチｓｗ２をオフさせると、制御部においてこれを把握し、すると、第２のリレイスイッチＲＬ２を作動させて第３のリレイスイッチＲＬ３が作動されるようにして鉄片を移動させながら閉回路を保持させ、かつ、警報信号制御部１１４０に出力される電源を復帰させて警報信号ディスプレイ部１１５０を作動し続けることができるようになる。
【００７０】
すなわち、本発明は、警報要因を解決しなければ、警告音を出力し続けるようにして、必ず警報要因を解決するように導く。
【００７１】
すなわち、制御部において第２のリレイスイッチＲＬ２及び第１のリレイスイッチＲＬ１にスイッチング信号を印加すれば、再度電源を復帰させて警報信号が自動で出力され、これにより、警報状況が完全に除去されることを認知できずに警報信号を遮断しても再び再作動されるので、作業者にとって警報信号の発生原因を確実に解決するように導くことができる。
【００７２】
もし、制御部においてそれ以上警報信号の出力が必要でないと認められれば、第１のリレイスイッチＲＬ１及び第２のリレイスイッチＲＬ２にそれ以上電源信号を印加しなくなるので、このときには、手動スイッチ１１３５をユーザが操作して警報信号を手動で遮断させることができるようになる。
【符号の説明】
【００７３】
１０  摘み用ハウジング
２０  頬皮膚圧着部
３０  凹凸部
３１  凸部
３２  凹部
４０  まつげ長さ確認部
５０  接着剤収納部
６０  接着剤補助収容部
１００  撮影用カメラ
２００  制御部
１０００  警報信号自動出力部
１１１０  電源部
１１２０  警報制御部
１１３１  回路作動用鉄片
１１３２  電源連結用鉄片
１１３３  第１の磁気保持手段
１１３３ａ  補助磁気保持手段
１１３４  第２の磁気保持手段
１１３４ａ  間隔材
１１３５  手動作動スイッチ
１１４０  警報信号出力制御部
１１５０  警報信号ディスプレイ部
ＲＬ１  第１のリレイスイッチ
ＲＬ２  第２のリレイスイッチ
ＲＬ３  第３のリレイスイッチ
ｓｗ１  第１の回路連結スイッチ
ｓｗ２  第２の警報信号出力用電源スイッチ
【図１】
2019198462.tif 000003
【図２】
2019198462.tif 000004
【図３】
2019198462.tif 000005
【図４】
2019198462.tif 000006
【図５】
2019198462.tif 000007
【図６】
2019198462.tif 000008
【図７】
2019198462.tif 000009
【図８】
2019198462.tif 000010
【図９】
2019198462.tif 000011
【図１０】
2019198462.tif 000012